(57)【要約】【課題】一般色インクと特別色インクとを用いて画像を形成することができる画像形成装置を提供する。【解決手段】実施形態の画像形成装置は、記録媒体を搬送する搬送機構と、一般色用のインクジェットヘッドを搭載した第１の記録ヘッド部と、第１の記録ヘッド部を第１のガイドに沿って移動させる第１のヘッド駆動機構と、特別色用のインクジェットヘッドを搭載した第２の記録ヘッド部と、第２の記録ヘッド部を第２のガイドに沿って移動させる第２のヘッド駆動機構とを含んでいる。前記第１のガイドと第２のガイドは、互いに平行である。前記第１の記録ヘッド部と第２の記録ヘッド部は、記録媒体の搬送方向に関して上流側と下流側とに互いに独立して配置され、それぞれコントローラからの指令に基き、第１のヘッド駆動機構と第２のヘッド駆動機構とによって互いに独立して主走査方向に移動する。【選択図】図１
2013199037.tif 000002
【特許請求の範囲】
【請求項１】
記録媒体を搬送する搬送機構と、
一般色インクを吐出するインクジェットヘッドが搭載され、第１のガイドに沿って主走査方向に移動する第１の記録ヘッド部と、
前記第１の記録ヘッド部を前記主走査方向に移動させる第１のヘッド駆動機構と、
特別色インクを吐出するインクジェットヘッドが搭載され、前記第１の記録ヘッド部に対し前記記録媒体の搬送方向に離間して配置され、前記第１のガイドと平行な第２のガイドに沿って前記第１の記録ヘッド部とは独立して主走査方向に移動する第２の記録ヘッド部と、
前記第２の記録ヘッド部を前記主走査方向に移動させる第２のヘッド駆動機構と、
前記第１および第２の記録ヘッド部を制御するコントローラと、
を具備したことを特徴とする画像形成装置。
【請求項２】
前記コントローラは、前記第１の記録ヘッド部を初期位置から往路側の終端位置に向けて移動させ一般色インクによる画像を形成したのち前記第１の記録ヘッド部を前記初期位置に復帰させ、前記第２の記録ヘッド部を初期位置から往路側の終端位置に向けて移動させ特別色インクによる画像を形成したのち前記第２の記録ヘッド部を前記往路側の終端位置で待機させることを特徴とする請求項１に記載の画像形成装置。
【請求項３】
前記第１の記録ヘッド部が前記第２の記録ヘッド部に対して記録媒体の搬送方向上流側に配置されていることを特徴とする請求項１または２に記載の画像形成装置。
【請求項４】
前記第１の記録ヘッド部と前記第２の記録ヘッド部との間の距離が、前記搬送機構によって搬送される複数の記録媒体の記録媒体間隔の整数倍であることを特徴とする請求項１ないし３のいずれか１項に記載の画像形成装置。
【発明の詳細な説明】
【技術分野】
【０００１】
本発明の実施形態は、記録媒体に画像を形成するための画像形成装置に関する。
【背景技術】
【０００２】
例えばインクジェット方式の記録ヘッド部を有するインクジェットプリンタは、シート等の記録媒体を所定方向に搬送するとともに、インクジェットヘッドを搭載した記録ヘッド部をシートの搬送方向と直角な方向に移動させ、記録媒体に向けてインクジェットヘッドからインクを吐出することにより、記録媒体に画像を形成している。
【０００３】
カラー画像のために複数種類の色インクを吐出する記録ヘッド部では、減法混色（減色混合）の３原色（例えばイエロー、マゼンタ、シアン）とブラックに代表される一般色のための複数のインクジェットヘッドが１つのヘッドホルダに走査方向に一列に並んで搭載されている。また、例えば金、銀、蛍光色インク、薄色インクなどの特別色インクを吐出する特別色用のインクジェットヘッドと、前記一般色用のインクジェットヘッドとを備えた記録ヘッド部も提案されている。
【０００４】
一般色インクによる画像では、記録媒体に吐出された各色のインクによる減法混色により所望の色彩が表現されている。これに対し特別色インクによる画像は、単一のインクによって画像を形成する。このため、いわゆる表刷りと称される印刷では、記録媒体の表面に一般色用のインクジェットヘッドによって一般色の画像を形成し、その上から特別色用のインクジェットヘッドによって特別色の画像を形成している。これに対し、裏刷りと称される印刷では、特別色インクによる画像を透明な記録媒体の表面に形成したのち、その上から一般色インクによる画像を形成し、形成された画像を透明な記録媒体の裏側から見るようにしている。
【０００５】
いずれの場合も、一般色用のインクジェットヘッドと特別色用のインクジェットヘッドとが共通のヘッドホルダに搭載されているため、記録ヘッド部の質量が大きく、慣性モーメントが大である。
【先行技術文献】
【特許文献】
【０００６】
【特許文献１】特開２００９−１１３２８４号公報
【発明の概要】
【発明が解決しようとする課題】
【０００７】
本発明が解決しようとする課題は、一般色の印刷時に使用される記録ヘッド部の慣性モーメントを小さくすることにある。
【課題を解決するための手段】
【０００８】
実施形態において、画像形成装置は、記録媒体を搬送する搬送機構と、一般色インクを吐出するインクジェットヘッドが搭載され、第１のガイドに沿って主走査方向に移動する第１の記録ヘッド部と、前記第１の記録ヘッド部を前記主走査方向に移動させる第１のヘッド駆動機構と、特別色インクを吐出するインクジェットヘッドが搭載され、前記第１の記録ヘッド部に対し前記記録媒体の搬送方向に離間して配置され、前記第１のガイドと平行な第２のガイドに沿って前記第１の記録ヘッド部とは独立して主走査方向に移動する第２の記録ヘッド部と、前記第２の記録ヘッド部を前記主走査方向に移動させる第２のヘッド駆動機構と、前記第１および第２の記録ヘッド部を制御するコントローラとを具備している。
【図面の簡単な説明】
【０００９】
【図１】第１の実施形態に係る画像形成装置を模式的に示す平面図。
【図２】画像形成装置の記録ヘッド部と電気回路等を模式的に示す図。
【図３】画像形成装置の電気的構成を示すブロック図。
【図４】図１に示された画像形成装置の第２の記録ヘッド部が移動した状態の平面図。
【図５】第２の実施形態に係る画像形成装置を模式的に示す平面図。
【図６】第３の実施形態に係る画像形成装置を模式的に示す平面図。
【図７】第４の実施形態に係る画像形成装置を模式的に示す平面図。
【発明を実施するための形態】
【００１０】
以下に、第１の実施形態に係る画像形成装置について、図１から図４を参照して説明する。図１は、画像形成装置の一例であるインクジェットプリンタ１０を示している。インクジェットプリンタ（これ以降、プリンタと称する）１０は搬送機構１１を備えている。搬送機構１１は、搬送ローラ１２と、搬送ローラ１２を回転させるモータ１３等を備えており、記録媒体の一例であるシートＳを矢印Ａで示す搬送方向に移動させる。シートＳの一例は規定サイズの紙であるが、透明あるいは不透明な樹脂フィルムやラベルなどであってもよい。
【００１１】
プリンタ１０は、第１のヘッドユニット２１と、第２のヘッドユニット２２と、これらヘッドユニット２１，２２を制御する電気的構成（図３に示す）とを備えている。第１のヘッドユニット２１は、シートＳに一般色による画像を形成する。第２のヘッドユニット２２は、シートＳに特別色による画像を形成する。
【００１２】
ここで言う「一般色による画像」とは、減法混色をなす三原色（例えばイエロー、マゼンタ、シアン）とブラックのインクを単一で用いるかまたは混合することによって形成される画像である。「特別色による画像」とは、前記一般色のインクでは表現することができない色相のインク、例えば金、銀、メタリック、蛍光色インク、薄色インクなどの特別色のインクを単一で用いることによって形成する画像である。
【００１３】
第１のヘッドユニット２１は、一般色用のインクジェットヘッド３０ａ，３０ｂ，３０ｃ，３０ｄを搭載した第１の記録ヘッド部３０と、第１のガイド３５と、第１の記録ヘッド部３０を第１のガイド３５に沿って移動させる第１のヘッド駆動機構３６と、第１の記録ヘッド部３０の位置を検出するセンサ３７などを備えている。例えばエンコーダのように位置に関する情報を出力するものや、予め指定位置に配置されたトリガにより電気的信号を出力する光センサなどが使用される。
【００１４】
第１のヘッドユニット２１の記録ヘッド部３０は、第１のガイド３５に沿って、主走査方向（矢印Ｂで示す方向）に往復移動する。主走査方向はシートＳの搬送方向Ａと直角な方向である。第１のガイド３５は主走査方向に延びている。
【００１５】
第１のヘッド駆動機構３６の一例は、駆動側プーリ４０と、従動側プーリ４１と、これらプーリ４０，４１間に張り渡されたタイミングベルト等の巻掛け伝動体４２と、駆動側プーリ４０を回転させるモータ４３と、モータ４３のトルクを駆動側プーリ４０に伝えるギヤ等の力伝達部材４４を含んでいる。なお第１のヘッド駆動機構３６として、プーリ４０，４１と巻掛け伝動体４２を用いる代りに、例えばボールねじとパルスモータを用いた駆動機構あるいはリニアモータを用いた駆動機構が採用されてもよい。
【００１６】
図２は、第１の記録ヘッド部３０と制御用電気回路の一部を示している。一般色のインクを吐出する第１の記録ヘッド部３０は、例えばイエロー（Ｙ）用のインクジェットヘッド３０ａと、マゼンタ（Ｍ）用のインクジェットヘッド３０ｂと、シアン（Ｃ）用のインクジェットヘッド３０ｃと、ブラック（Ｋ）用のインクジェットヘッド３０ｂとが、主走査方向に一列に並んでヘッドホルダ４５に配置されている。第１の記録ヘッド部３０は、これらインクジェットヘッド３０ａ，３０ｂ，３０ｃ，３０ｄから吐出される一般色のインクの減法混色によって、シートＳの表面にカラー画像を形成する。
【００１７】
図１に示すように第２のヘッドユニット２２は、第１のヘッドユニット２１に対してシートＳの搬送方向（矢印Ａで示す）の下流側に配置されている。第２のヘッドユニット２２は、特別色用のインクジェットヘッド５０ａを搭載した第２の記録ヘッド部５０と、第２のガイド５５と、第２の記録ヘッド部５０を第２のガイド５５に沿って移動させる第２のヘッド駆動機構５６と、第２の記録ヘッド部５０の位置を検出するセンサ５７などを備えている。センサ５７は、エンコーダのように位置に関する情報を出力するものや、予め指定位置に配置されたトリガにより電気的信号を出力する光センサなどが使用される。第２のガイド５５は主走査方向（矢印Ｃで示す）に延びている。主走査方向はシートＳの搬送方向Ａと直角な方向である。
【００１８】
第２のヘッド駆動機構５６の一例は、駆動側プーリ６０と、従動側プーリ６１と、これらプーリ６０，６１間に張り渡されたタイミングベルト等の巻掛け伝動体６２と、駆動側プーリ６０を回転させるモータ６３と、モータ６３のトルクを駆動側プーリ６０に伝えるギヤ等の力伝達部材６４を含んでいる。なお第２のヘッド駆動機構５６として、プーリ６０，６１と巻掛け伝動体６２を用いる代りに、例えばボールねじとパルスモータを用いた駆動機構あるいはリニアモータを用いた駆動機構が採用されてもよい。
【００１９】
第２の記録ヘッド部５０は、前記特別色を吐出するインクジェットヘッド５０ａを備えている。インクジェットヘッド５０ａはヘッドホルダ６５に配置されている。この第２の記録ヘッド部５０は、第２のガイド５５に沿って、シートＳの搬送方向と直角な方向（図１に矢印Ｃで示す主走査方向）に移動する。
【００２０】
第２の記録ヘッド部５０のインクジェットヘッド５０ａは、特別色のインクを吐出することによってシートＳに画像を形成する。本実施形態の第２の記録ヘッド部５０は、１つのインクジェットヘッド５０ａのみ搭載している。このため第２の記録ヘッド部５０の外形および質量は、複数のインクジェットヘッド３０ａ，３０ｂ，３０ｃ，３０ｄを搭載した第１の記録ヘッド部３０の外形および質量よりも小さい。
【００２１】
第１の記録ヘッド部３０のインクジェットヘッド３０ａ，３０ｂ，３０ｃ，３０ｄと、第２の記録ヘッド部５０のインクジェットヘッド５０ａは、それぞれ、例えばサーマル方式（thermal type）によってインクを吐出する。サーマル方式は、内蔵ヒータによってインクに熱を与えることによりインクに圧力変化を生じさせ、この圧力変化によってノズルからシートＳに向けてインクを吐出する。なおサーマル方式以外に、例えば圧電効果を有する素子（例えばピエゾ素子）を用い、電流によってピエゾ素子を変形させ、その変形に基くポンピング作用により、ノズルからインクを吐出させてもよい。
【００２２】
図３は、実施形態のプリンタ１０の電気的構成を示すブロック図である。プリンタ１０はコントローラとして機能するＣＰＵ（Central Processing Unit）７０を備えている。このＣＰＵ７０に、バスライン７１を介して、ＲＯＭ（Reed Only Memory）７２、ＲＡＭ（Random Access Memory）７３、通信インタフェース部７４、表示／操作用ドライバ７５、センサ入出力ポート７６、搬送ローラモータ用ドライバ８０、第１のヘッド駆動モータ用ドライバ８１、第２のヘッド駆動モータ用ドライバ８２、一般色インクジェットヘッド用ドライバ８３、特別色インクジェットヘッド用ドライバ８４などが接続されている。
【００２３】
ＲＯＭ７２には、ＣＰＵ７０を制御するためのプログラムや各種の固定的データが格納されている。ＲＡＭ７３は、画像形成に必要な各種データを格納するための種々のメモリエリアを備えている。通信インタフェース部７４は、通信回線（ネットワーク）を介して外部機器との間で行なうデータ通信を制御する。表示／操作用ドライバ７５は、表示部を兼ねた操作パネル７５ａを制御する。操作パネル７５ａを操作することにより、画像形成に必要な情報をＲＡＭ７３等に格納することができる。センサ入出力ポート７６は各種センサ（例えば位置検出センサ３７，５７）に接続されている。センサ３７によって検出された第１の記録ヘッド部３０の位置信号と、センサ５７によって検出された第２の記録ヘッド部５０の位置信号は、センサ入出力ポート７６を介してＣＰＵ７０に入力される。
【００２４】
搬送ローラモータ用ドライバ８０は、搬送機構１１のモータ１３を駆動する。第１のヘッド駆動モータ用ドライバ８１は、第１のヘッド駆動機構３６のモータ４３を駆動する。第２のヘッド駆動モータ用ドライバ８２は、第２のヘッド駆動機構５６のモータ６３を駆動する。一般色インクジェットヘッド用ドライバ８３は、一般色用のインクジェットヘッド３０ａ，３０ｂ，３０ｃ，３０ｄのインク吐出動作を制御する。特別色インクジェットヘッド用ドライバ８４は、特別色用のインクジェットヘッド５０ａのインク吐出動作を制御する。
【００２５】
このようにプリンタ１０の電気的構成は、搬送機構１１を制御する制御回路と、第１および第２のヘッド駆動機構３６，５６を制御する制御回路と、一般色用のインクジェットヘッド３０ａ，３０ｂ，３０ｃ，３０ｄおよび特別色用のインクジェットヘッド５０ａのインク吐出動作を制御する制御回路などを含み、プリンタ１０の印刷動作等を制御する制御手段として機能する。
【００２６】
以下に、実施形態のプリンタ１０による画像形成プロセスの概略について説明する。  
図示しないシート収容部に収容されたシートＳは、図１に示す搬送機構１１によって、矢印Ａで示す副走査方向に搬送される。シートＳの画像形成領域が第１のヘッドユニット２１に到達すると、コントローラとして機能するＣＰＵ７０の指令に基き、第１のヘッド駆動機構３６によって第１の記録ヘッド部３０が図１に矢印Ｂ１で示す往路方向に移動する。そしてＲＡＭ７３等に格納されている画像データに基いて、インクジェットヘッド３０ａ，３０ｂ，３０ｃ，３０ｄの吐出動作が制御されることにより、シートＳの表面に一般色インクによる画像の１パス分が形成される。
【００２７】
一般色のインクによる印刷は、これらインクジェットヘッド３０ａ，３０ｂ，３０ｃ，３０ｄから吐出される一般色インクによる減法混色に基くカラー印刷である。このため各色のインクの吐出順序（色重ね順）を一定にしないと、色の順番によっては色相が異なってしまう。よって第１の記録ヘッド部３０は、１パス分の印刷を行なった後、矢印Ｂ２で示す復路方向に移動して初期位置に復帰し、次の１パス分の印刷を行なうまで初期位置にて待機する。そして次の１パス分の印刷を行なう際に、第１の記録ヘッド部３０が再びシートＳに向けて矢印Ｂ１で示す往路方向に移動しつつ、インクジェットヘッド３０ａ，３０ｂ，３０ｃ，３０ｄが吐出する一般色インクによって印刷が行なわれる。こうしてシートＳの表面に第１の記録ヘッド部３０による画像が形成されてゆく。
【００２８】
特別色による画像を形成する場合、シートＳの画像形成領域のうち特別色による画像形成領域が第２のヘッドユニット２２に到達すると、ＣＰＵ７０の指令に基き、第２のヘッド駆動機構５６によって、第２の記録ヘッド部５０が図１に矢印Ｃ１で示す往路方向に移動しつつ、前記画像データに基いてインクジェットヘッド５０ａの吐出動作が制御されることにより、シートＳ上に特別色インクによる１パス分の画像が形成される。
【００２９】
特別色インクによる印刷は、単一のインクジェットヘッド５０ａを備えた第２の記録ヘッド部５０によって行なわれる。このため第２の記録ヘッド部５０は、第１の記録ヘッド部３０のように１パス分の印刷を行なうたびに初期位置に復帰させる必要がない。よって第２の記録ヘッド部５０は、次の１パス分の印刷を行なうまでは、図４に示すように往路側の終端位置（ストロークエンド）にて待機する。そして次の１パス分の印刷を行なう際に、第２の記録ヘッド部５０は、今度は矢印Ｃ２で示す往路方向に移動しつつ、インクジェットヘッド５０ａが吐出する特別色インクによって印刷を行なう。こうして前記一般色の画像の上に第２の記録ヘッド部５０による特別色の画像が形成される。すなわち実施形態のプリンタ１０は、走査方向に移動するシリアル方式の第１および第２の記録ヘッド部３０，５０によりカラー印刷をなす。
【００３０】
本実施形態のプリンタ１０は、第１の記録ヘッド部３０と第２の記録ヘッド部５０とが互いに独立して移動できるため、１パス分の印刷毎に往復動する第１の記録ヘッド部３０に対し、第２の記録ヘッド部５０は往路方向または復路方向のみの移動で済ませることができる。
【００３１】
このため本実施形態によれば、第１の記録ヘッド部３０と比較して使用頻度の少ない第２の記録ヘッド部５０の動きを極力少なくすることができる。すなわち１パス分の印刷が終了するたびに往復動作をする第１の記録ヘッド部３０と比較して、１パス分の印刷に要する第２の記録ヘッド部５０の消費エネルギーを少なくすることができる。
【００３２】
こうして一般色用のインクジェットヘッド３０ａ，３０ｂ，３０ｃ，３０ｄによるカラー印刷と、必要に応じて特別色用のインクジェットヘッド５０ａから吐出される特別色のインクを用いた印刷により、特別色インクを併用した風合いの画像が形成される。本実施形態のプリンタ１０は、一般色のカラー画像の上に特別色のインクによる画像を重ねるため、不透明なシートに印刷された画像をシートの表側から見る「表刷り」に適している。「表刷り」では、シートの表面側から印刷面を見るため、このプリンタ１０のように一般色インクによる印刷を行なったのち、特別色インクによる印刷を重ねるとよい。
【００３３】
図５は、第２の実施形態のプリンタ１０Ａを示している。第２の実施形態では、矢印Ａで示されるシートＳの搬送方向に関して、第２の記録ヘッド部５０が上流側に配置され、第１の記録ヘッド部３０が下流側に配置されている。それ以外の構成は第１の実施形態と同様であるため、第１の実施形態と共通する箇所に共通の符号を付して説明を省略する。
【００３４】
第２の実施形態のプリンタ１０Ａは、第２の記録ヘッド部５０から吐出する特別色インクによってシートＳの表面に印刷がなされたのち、その上から第１の記録ヘッド部３０による一般色インクによる印刷がなされる。例えば透明シートの裏側から画像を見る「裏刷り」の場合や、中間転写媒体に印刷した画像を他の記録媒体に転写させる印刷では、第２の実施形態（図５）のプリンタ１０Ａのように、最初に特別色用の第２の記録ヘッド部５０による印刷を行ない、その上から一般色用の第１の記録ヘッド部３０によって印刷を行なうものが適している。
【００３５】
図６は、第３の実施形態のプリンタ１０Ｂを示している。このプリンタ１０Ｂは、第１の記録ヘッド部３０と第２の記録ヘッド部５０との間の距離Ｌ１を、搬送機構１１によって順次搬送される複数のシートの記録媒体の記録媒体間隔Ｌ２（先行するシートＳ１と後続のシートＳ２２との搬送ピッチ）と等しくしている。それ以外の構成については第１の実施形態と同様であるため、第１の実施形態と共通する箇所に共通の符号を付して説明を省略する。
【００３６】
この第３の実施形態のプリンタ１０Ｂでは、第１の記録ヘッド部３０と第２の記録ヘッド部５０とを同期させて主走査方向（矢印Ｂ，Ｃで示す方向）に移動させることにより、先行シートＳ１と後続のシートＳ２との間に存在する非印刷領域に影響を受けることなく、第１の記録ヘッド部３０と第２の記録ヘッド部５０とによって印刷することができる。その結果、一般色用の第１の記録ヘッド部３０と特別色用の第２の記録ヘッド部５０とが互いに別れていても、印刷速度が低下してしまうことを回避できる。また、第１の記録ヘッド部３０から吐出されたインクが第２の記録ヘッド部５０に到達するまでの乾燥時間をかせぐことができる。
【００３７】
図７は、第４の実施形態のプリンタ１０Ｃを示している。このプリンタ１０Ｃは、一般色用の第１の記録ヘッド部３０と特別色用の第２の記録ヘッド部５０との間の距離Ｌ３を記録媒体間隔（記録媒体の搬送ピッチ）Ｌ２の整数倍としている。この実施形態のプリンタ１０Ｃも、第３の実施形態（図６）と同様に、一般色用の第１の記録ヘッド部３０と特別色用の第２の記録ヘッド部５０とを同期させて動かすことにより、先行するシートＳ１と後続のシートＳ２との間の非印刷領域に影響されることなく、一般色用の第１の記録ヘッド部３０と特別色用の第２の記録ヘッド部５０とによって画像を形成することができる。その結果、一般色用の第１の記録ヘッド部３０と特別色用の第２の記録ヘッド部５０とが互いに別れていても、印刷速度が低下してしまうことを回避できる。
【００３８】
以上説明したように、実施形態のプリンタは下記の工程を含んでいる。  
シートＳを搬送機構１１によって所定の搬送方向に移動させること。  
第１の記録ヘッド部３０を第１のヘッド駆動機構３６によってシートＳの搬送方向と直交する主走査方向に移動させること。  
シートＳに向けて第１の記録ヘッド部３０から一般色インクを吐出することにより、シートＳ上に一般色インクによる画像を形成すること。  
画像形成後の第１の記録ヘッド部３０を初期位置に復帰させること。  
第２の記録ヘッド部５０を第２のヘッド駆動機構５６によってシートＳの搬送方向と直交する主走査方向に移動させること。  
シートＳに向けて第２の記録ヘッド部５０から特別色インクを吐出することにより、シートＳ上に特別色インクによる画像を形成すること。そして、  
画像形成後の第２の記録ヘッド部５０を往路側の終端位置（ストロークエンド）にて待機させること。なお、第２の記録ヘッド部５０を往路側の終端位置にて待機させることなく初期位置に戻すようにしてもよい。
【００３９】
第１の記録ヘッド部３０による一般色の印刷と、第２の記録ヘッド部５０による特別色の印刷の順序が逆でもよい。例えば「表刷り」の場合には、一般色用の第１の記録ヘッド部３０によって形成された画像の上に、特別色用の第２の記録ヘッド部５０によって画像を形成する。これに対し「裏刷り」や転写プリントの場合には、特別色用の第２の記録ヘッド部５０によって形成された画像の上に、一般色用の第１の記録ヘッド部３０によって画像を形成する。いずれにしても特別色用の第２の記録ヘッド部５０による印刷は、第１の記録ヘッド部３０による色重ね順の最初または最後に行なう。
【００４０】
また第２の記録ヘッド部５０は、特別色用のインクジェットヘッド５０ａ以外に、一般色用のインクジェットヘッドを搭載してもよい。要するに第１の記録ヘッド部３０に一般色用のインクジェットヘッドが搭載され、第２の記録ヘッド部５０に特別色用のインクジェットヘッドが搭載され、これら第１および第２の記録ヘッド部３０，５０が第１および第２のガイド３５，５５に沿って互いに独立して主走査方向に移動できればよい。
【００４１】
なお本発明は、印刷用紙以外のシート、例えば種々の形態の紙や、布、プラスチックなどからなるシートに印刷するための画像形成装置にも適用することができる。本発明の実施形態は、単なる一例として提示したものであり、発明の範囲を限定することは意図していない。これら新規な実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれるとともに、特許請求の範囲に記載された発明とその均等の範囲に含まれる。
【符号の説明】
【００４２】
Ｓ…シート（記録媒体の一例）、１０，１０Ａ，１０Ｂ，１０Ｃ…インクジェットプリンタ、１１…搬送機構、３０…第１の記録ヘッド部、３０ａ，３０ｂ，３０ｃ，３０ｄ…一般色用のインクジェットヘッド、３５…第１のガイド、３６…第１のヘッド駆動機構、５０…第２の記録ヘッド部、５０ａ…特別色用のインクジェットヘッド、５５…第２のガイド、５６…第２のヘッド駆動機構。
【図１】
2013199037.tif 000003
【図２】
2013199037.tif 000004
【図３】
2013199037.tif 000005
【図４】
2013199037.tif 000006
【図５】
2013199037.tif 000007
【図６】
2013199037.tif 000008
【図７】
2013199037.tif 000009